(57)【要約】  【目的】  液収容管は、圧入接続での応力によるクラックや割れや、高温環境下での変形がなく、液収容管及びその接合部分からの収容液及び圧縮気体の流出を抑制できる。  【構成】  ポリエチレンテレフタレートとポリエチレンナフタレートのコポリマーにより、修正液の液収容管やボールペンのインキ収容管、その他塗布液用の液収容部材を、射出成形や押出成形によって得る。【選択図】  図１
2005288864.tif 000002
【特許請求の範囲】
【請求項１】
少なくとも主鎖に下記（化１）にて示される構造部分と下記（化２）にて示される構造部分とを有する高分子体により形成された液収容部材。
【化１】
2005288864.tif 000005
【化２】
2005288864.tif 000006
【請求項２】
圧縮気体の押圧力にて内容液の吐出支援をなす請求項１記載の液収容部材。
【発明の詳細な説明】
【技術分野】
【０００１】
本発明は、ボールペン、サインペン、マーカー、万年筆、小管ペンなどの筆記具や、修正具、液状化粧料の吐出容器のような塗布具の内部に、インキや修正液、化粧料などを直接又は繊維集束体などに含浸させて収容する液収容部材に関する。
【背景技術】
【０００２】
ポリエチレンナフタレート樹脂によって、キャップ、軸筒、ペン先ホルダー、インキ収容筒、尾栓などの筆記又は塗布具用部材を形成し、耐熱性や耐衝撃性に優れインキの蒸発等を防止できるもの（特許文献１参照）、ジオール成分またはジカルボン酸成分を含有してなるポリエステル共重合体によって樹脂製文具部品を成形し、透明性、ガスバリア性、嵌合性、耐衝撃性などに優れたもの（特許文献２参照）が知られている。
【特許文献１】特開平０９−８５１６０号公報
【特許文献２】特開平０８−３４１９２号公報
【発明の開示】
【発明が解決しようとする課題】
【０００３】
特許文献１に開示されているような、ポリエチレンナフタレート樹脂は、ナフタレン環を基本構造内に有しているため分子が平面状に配向する傾向があり、その結晶部分が層状に剥離する現象が起こり易く、そうすると部品間での圧入などの外的な応力が加わったり疲労が蓄積するとクラックや割れなどが発生してしまう。このため、部材間の接合部分での気密・液密性が阻害されて収容したインキが蒸発して減量し易く、また、圧縮した気体を封入して、直接又は間接的にインキを押して吐出支援をなす筆記具や塗布具などの場合では、このような押圧力による吐出支援をなさないとインキが吐出しないような、例えば高粘度のインキを使用するものがあり、長期放置を行うと、軸筒の内部から外部へ次第に圧力が放出され、圧縮された気体の圧力が大気圧に近づいてしまい、圧力でインキ吐出の支援をなせなくなり、インキのカスレや吐出不良を引き起こしてしまうという問題点があった。
【０００４】
特許文献２に開示されているような、エチレングリコールとシクロヘキサンジメタノールからなる混合ジオールと、テレフタル酸とを縮重合してなるポリエチレン共重合体によって、インキを収容する軸筒を形成させたものでは、熱変形温度が低いため、夏期の自動車内などの高温環境下に長期間置かれた場合に、部材が変形することがあった。即ち、圧入などの部品間の接続構造がある場合には、熱変形により接続関係が緩み、インキ洩れや、前述のものと同様、内部に圧縮した気体を封入したものなどでは、気体が外部へ流出して、同容にカスレやインキの吐出不良を引き起こしてしまうという問題点があった。
【課題を解決するための手段】
【０００５】
本発明は、少なくとも主鎖に下記（化１）にて示される構造部分と下記（化２）にて示される構造部分とを有する高分子体により形成された液収容部材を要旨とするものである。
【０００６】
【化１】
2005288864.tif 000003
【０００７】
【化２】
2005288864.tif 000004
【発明の効果】
【０００８】
構造中に上記（化１）にて示される構造部分と上記（化２）にて示される構造部分とを有することにより、ナフタレート環とベンゼン環がランダム状又はブロック状に配置され、ナフタレン環によって分子が平面状に配向させることをベンゼン環が阻害し、層状に剥離することを抑制するものと推察される。よって、液収容部材に前軸や尾栓などの部材を圧入接合し、外的な応力が加わってもクラックや割れなどが発生することを抑制し得る。また熱変形温度も高く、高温環境下に長期間置かれた場合でも変形し難く、部材の接合部の気密・液密を確保できるものである。更に、連通する分子間の孔が小さいことも相俟って、酸素や窒素及び二酸化炭素、水素等の気体の分子の通過を抑制し、収容した内容液の蒸発による減量が極力抑制され、また、圧縮した気体を封入してインキを押して吐出支援をなす筆記具や塗布具などであっても、これを長期放置しても、外部への圧力の放出が抑制され、内容液のカスレや吐出不良が極力抑制される。
【発明を実施するための最良の形態】
【０００９】
本発明は、インキや修正液、化粧料などを、直接的に自由状態で収容したり、繊維集束体などに含浸させて間接的に収容する液収容部材に使用でき、インキなどを内蔵する筆記具や塗布具、保存容器に好適に使用できるものであるが、特に、インキなどの内溶液の蒸発や、外部からの水蒸気の侵入などを抑制したい場合に有効に作用するものである。更に、内部に気体を圧縮して密閉収容し、この圧縮した気体によって、内容液の吐出支援をなすものに関しては、圧力の放出を抑制し、筆記具や、塗布具の使用中における、カスレなどの吐出不良を抑制できるものである。
【００１０】
少なくとも主鎖に上記（化１）にて示される構造部分と上記（化２）にて示される構造部分とを有する高分子体としては、押し出し成形用のテオネックスＴＮ８７７０、射出成形用のテオネックスＴＮ８７５６（ポリエチレンテレフタレートとポリエチレンナフタレートのコポリマー、帝人化成株式会社製）が好適に使用できる。
【実施例】
【００１１】
以下、図面に基づき説明する。
図１は、インキ１を液収容管２に直接収容したボールペンである。液収容管２は、帝人化成株式会社製のテオネックスＴＮ８７７０という材料（主鎖に上記（化１）にて示される構造部分と上記（化２）にて示される構造部分とを有する高分子体、ポリエチレンテレフタレートとポリエチレンナフタレートのコポリマー）の押出成形品である。液収容管２の先端開口部には、筆記部材としてのボールを回転自在に抱持したボールペンチップ３が圧入接続されている。接続方法は、圧入接続にのみ限られるものではなく、接着剤などを介在させてもよいし、熱溶着、超音波溶着、高周波誘導加熱による加熱により融着などとすることもでき、生産性、密閉性、耐久性を考慮して適宜行うことができる。
【００１２】
液収容管２内のインキ１の界面に接触して、インキが消費されることに伴うインキの界面の移動に追従して移動するフォロワー流体４が配置されている。フォロワー流体４は、シリコーンオイルである。尚、フォロワー流体４は、インキ界面との接触を維持しながらこの界面に追従するものであればよく、その成分は特に限定されるものではない。例えば、低分子量の炭化水素系合成油であるポリブテン、αオレフィン、ポリαオレフィンや、ワセリンや、これらを微粒子シリカやデキストリン脂肪酸エステル等でゲル化した高粘度ゲル状体などでもよい。
【００１３】
本例に用いた帝人化成株式会社製のテオネックスＴＮ８７７０という材料は、連通する分子間の孔は小さく、約２０ｃｃ／ｍ２ｄａｙ／２５μｍ・２３℃／Ｏ２の高いガスバリア性であるため、長期放置を行っても、収容したインキ１の蒸発による減量を極力抑制することができる。また、熱変形温度（ＪＩＳ  Ｋ  ７２０７）が約１１０℃／１８．６ｋｇ／ｃｍ２であるため、高温環境下に長時間放置されても変形することがなく、インキ収容管２とボールホルダー３の接続部分に緩みもなく、接合部分からのインキ１の流出を抑制できる。
また、エチレンテレフタレート部分を有することにより、層剥離が起こりにくく、分子の骨格が比較的柔軟性に富み変形しやいため、ボールホルダー３の圧入接続での応力によるクラックや割れなどが抑制できる。
【００１４】
図２に示した一例は、内溶液として、粘度が７００ｍＰａ・ｓ（Ｂ型粘度計Ｎｏ．３ローター、６０ｒｐｍ、２５℃）である修正液５を収容する修正液用の塗布具であり、液収容管２は、帝人化成株式会社製のテオネックスＴＮ８７７０という材料の押出成形品である。液収容管２の先端には、ポリブチレンテレフタレート樹脂の射出成形品である前軸６が、圧入状に挿入されて接続され、後端開口部はポリブチレンテレフタレート樹脂の射出成形品である尾栓７が、同じく圧入状に挿入されて接続されている。図示はしないが前軸６と尾栓７のいずれの部材も液収容管２に内挿される部分に周状の外方突部を有しており、該部における液密・気密性を高めている。前軸６の先端開口部には、ボールが回転自在に抱持されたボールペンチップ３が圧入固着されている。
【００１５】
液収容管２の内部には、修正液５の界面に接触して、フォロワー８が配置されている。フォロワー８は、有底筒体の形状を有し、硬度６５゜（デュロー硬度  タイプＡ）の、ポリエステル系の熱可塑性エラストマーの射出成形品であり、液収容管２の内壁に周状当接して液収容管２の修正液５の収容されている部分と修正液５の収容されていない空間部分９とを液密・気密に区画している。本例のものでは、この修正液５の収容されていない空間部分９が尾栓７によって密閉されており、該空間に圧縮空気を収容することによって、その圧力にてフォロワー８をボールペンチップ方向に付勢し、修正液５を押すことによって液の吐出支援をなすものとしてある。本例のもののように、高粘度の液体を吐出させようとする場合には、このように強制的に液を押し出す手段を備えることが好ましいといえ、液を押し出す手段としては、圧縮空気を密閉するものとして、ポンプ機構を備えるものとして必要に応じて空気を追加できるものとしてもよいし、コイルスプリングなどの弾撥部材を利用することなどもできる。内溶液が圧力を受けるものとしていることから、前述の前軸６に接続されているボールペンチップ３は、抜け強度が４２．５ｋｇ／ｃｍ２になるように圧入接続されているものであり、気体の圧力によって、ボールペンチップ３が外れ、修正液５が外部に飛散してしまうことを防止するものである。尚、フォロワー８は、修正液５の白色と誤認しないために黄色に着色されている。もっと明度や色調の異なる色、例えば黒色などとしてもよく、透明性を有する液収容管２の外部から液の残量を視認することができる。
【００１６】
本例に用いたテオネックスＴＮ８７７０という材料は、分子の骨格が柔軟性に富み変形し易いため、前軸６や尾栓７の圧入接続での応力によるクラックや割れなど抑制できることと、高温環境下に長時間放置されても部材が変形することがなく、接続部分の緩みもなく、接合部分からの修正液５の流出を抑制できることは前述の一例と同様であり、且つ、接合部分からの圧縮気体の流出を抑制できる。また、前述の一例と同様に連通する分子間の孔は小さく、高いガスバリア性であるため、長期放置を行っても、圧縮気体の透過を抑え、修正液の吐出の支援をなす圧力を維持することができる。
【図面の簡単な説明】
【００１７】
【図１】一例を示す縦断面図。
【図２】他の一例を示す縦断面図。
【符号の説明】
【００１８】
１  インキ
２  液収容管
３  ボールペンチップ
４  フォロワー流体
５  修正液
６  前軸
７  尾栓
８  フォロワー
９  空間部分
【図１】
2005288864.tif 000007
【図２】
2005288864.tif 000008